(57)【特許請求の範囲】
【請求項１】
天板と両側板と底板と前面の開口を開閉可能な扉とを有し、前記底板に下方を照らす照明装置を設けた吊戸棚であって、
前記照明装置は、側方向に配設されたＬＥＤ光源デバイスと、該ＬＥＤ光源デバイスに外部の交流電源を供給するための電源回路と、該ＬＥＤ光源デバイス、電源線を接続する端子台、そして交流電源を断続操作可能な断続操作部を内部に備えたフレームと、から構成されており、
前記フレームの下部は開放された開放部であり、該開放部に透光性を有する透光カバーが装着されており、更に前記フレームは、前記底板の厚さと略同じ厚さを有し、前記扉の背面側に位置する前記底板の前面に、着脱可能に取り付けられていることを特徴とする吊戸棚。
【請求項２】
前記フレームは、前記吊戸棚の両側板間寸法よりも短寸の押出成形品であって、前記扉の背面側に位置する前記フレームの前端下部に、該扉の背面と離間した凹部が形成されていることを特徴とする請求項１に記載の吊戸棚。
【請求項３】
前記扉の背面と前記フレームの前端との間に、側方向に沿ってパッキンが介設されていることを特徴とする請求項１または２に記載の吊戸棚。
【請求項４】
前記ＬＥＤ光源デバイスは、前記電源回路を備え、該ＬＥＤ光源デバイス、前記端子台、そして前記断続操作部が、側方向に略同一断面形状のベース本体の内部に直線状に縦列配置されており、該ベース本体は、前記フレーム内に収容されていることを特徴とする請求項１ないし３のいずれかに記載の吊戸棚。
【請求項５】
前記フレームに、前記断続操作部による前記照明装置の断続状態を発信する無線発信部が設けられるとともに、
前記無線発信部が発信した断続状態を受信する無線受信部と、該無線受信部で受信した前記照明装置の断続状態に応答して発光する光源デバイスと、を備えた照明部が、前記照明装置の近傍箇所に設けられていることを特徴とする請求項１ないし４のいずれかに記載の吊戸棚。
【発明の詳細な説明】
【技術分野】
【０００１】
本発明は、天板と両側板と底板と前面の開口を開閉可能な扉とを有し、底板に下方を照らす照明装置を設けた吊戸棚に関する。
【背景技術】
【０００２】
従来の吊戸棚は、照明源として例えば蛍光ランプを採用した照明装置が吊戸棚の底板の前方、若しくは底板内部の前面側に配設されている（例えば、特許文献１参照）。
【先行技術文献】
【特許文献】
【０００３】
【特許文献１】特開２００５−２８７７３９号公報（第６頁、第３図）
【発明の概要】
【発明が解決しようとする課題】
【０００４】
しかしながら、特許文献１にあっては、照明装置を底板の前方に配設すると、照明装置が外方に張り出してしまい、外観上、見栄えが好ましくなかった。また、蛍光ランプを有した照明装置を底板内部に配設すると、底板をより厚く構成する必要があるため、吊戸棚の外寸法が大きく成るか若しくは内容量が小さく成るなど、レイアウト設計に制限が生じるという問題があった。
【０００５】
本発明は、このような問題点に着目してなされたもので、見栄えを維持するとともに自由なレイアウト設計が可能な吊戸棚を提供することを目的とする。
【課題を解決するための手段】
【０００６】
前記課題を解決するために、本発明の吊戸棚は、
天板と両側板と底板と前面の開口を開閉可能な扉とを有し、前記底板に下方を照らす照明装置を設けた吊戸棚であって、
前記照明装置は、側方向に配設されたＬＥＤ光源デバイスと、該ＬＥＤ光源デバイスに外部の交流電源を供給するための電源回路と、該ＬＥＤ光源デバイス、電源線を接続する端子台、そして交流電源を断続操作可能な断続操作部を内部に備えたフレームと、から構成されており、
前記フレームの下部は開放された開放部であり、該開放部に透光性を有する透光カバーが装着されており、更に前記フレームは、前記底板の厚さと略同じ厚さを有し、前記扉の背面側に位置する前記底板の前面に、着脱可能に取り付けられていることを特徴としている。
この特徴によれば、ＬＥＤ光源デバイスとＬＥＤ駆動用の電源回路とを、共に小型化して底板と略同じ厚さのフレーム内部に照明源として収納配置できるため、照明源が吊戸棚の外方に張り出すことがなく、照明を有しない吊戸棚とほぼ同様の見栄えにできるばかりか、底板の厚さを抑え、レイアウト設計の自由度を維持できる。更に光源にＬＥＤ光源デバイスを用いることで、光源の交換頻度を抑え、且つフレームを着脱することで交換作業を容易化できる。
【０００７】
本発明の吊戸棚は、
前記フレームは、前記吊戸棚の両側板間寸法よりも短寸の押出成形品であって、前記扉の背面側に位置する前記フレームの前端下部に、該扉の背面と離間した凹部が形成されていることを特徴としている。
この特徴によれば、フレームが押出成形品であるため、適宜長さに切断して所定の吊戸棚に適用することで生産効率を向上でき、且つ一定品質のフレームを量産できる。また扉の背面と離間した凹部を、扉を開閉する際の手掛け部として利用できる。
【０００８】
本発明の吊戸棚は、
前記扉の背面と前記フレームの前端との間に、側方向に沿ってパッキンが介設されていることを特徴としている。
この特徴によれば、パッキンを扉の背面とフレームの前端とに当接させることで、煙、蒸気、虫などの進入を防ぎ吊戸棚内を清潔に保つことができるばかりか、扉の閉音を抑制できる。
【０００９】
本発明の吊戸棚は、
前記ＬＥＤ光源デバイスは、前記電源回路を備え、該ＬＥＤ光源デバイス、前記端子台、そして前記断続操作部が、側方向に略同一断面形状のベース本体の内部に直線状に縦列配置されており、該ベース本体は、前記フレーム内に収容されていることを特徴としている。
この特徴によれば、照明装置の各構成要素をベース本体内に一つに纏めユニット化されているので、照明装置のメンテナンスが、ベース本体の交換のみで容易に行える。更にＬＥＤ光源デバイスが側方向に配置されていることで、側方向に均一に照らすことができる。
【００１０】
本発明の吊戸棚は、
前記フレームに、前記断続操作部による前記照明装置の断続状態を発信する無線発信部が設けられるとともに、
前記無線発信部が発信した断続状態を受信する無線受信部と、該無線受信部で受信した前記照明装置の断続状態に応答して発光する光源デバイスと、を備えた照明部が、前記照明装置の近傍箇所に設けられていることを特徴としている。
この特徴によれば、照明装置のＬＥＤ光源デバイスと、照明部の光源デバイスとが、無線受発信を介し同期して発光できるばかりか、照明装置と照明部とを互いに離間して配設できる。
【図面の簡単な説明】
【００１１】
【図１】実施例における吊戸棚を示す側面図である。
【図２】吊戸棚を見上げた斜視図である。
【図３】照明装置を示す側面断面図である。
【図４】照明装置を示す正面断面図である。
【発明を実施するための形態】
【００１２】
本発明に係る吊戸棚を実施するための形態を実施例に基づいて以下に説明する。
【実施例】
【００１３】
実施例に係る吊戸棚につき、図１から図４を参照して説明する。以下、吊戸棚の図1紙面左側の使用者を中心に、吊戸棚の幅方向（図１紙面貫通方向）を側方向（左右方向）とし、吊戸棚の奥行方向（図１紙面左右方向）を前後方向（使用者側が前側）として説明する。
【００１４】
先ず図１の符号１は、本発明の適用された吊戸棚である。図１及び図２に示されるように、吊戸棚１は、室内に配設されたキッチンキャビネット２の上方位置に、壁面Ｗに固定に取り付けられており、食器や食材等の収納物を収納するために使用される。吊戸棚１は、壁面Ｗに取り付けられる箱体、詳しくは天板３、両側板４、底板５及び背板６から成り、更に天板３、両側板４、底板５の前縁で形成される前面開口を観音開き式に開閉可能な扉７が、側板４の前縁に枢支されている。
【００１５】
底板５は、前後方向寸法が天板３及び両側板４よりも若干短寸に形成され、すなわち底板５の前面は、略面一に位置した天板３及び両側板４の前面よりも、若干奥側に位置している。また、照明装置１０に電源を供給する電源ケーブルを吊戸棚１の後方から通すために、底板５の前後方向に内部空間が形成されている。
【００１６】
図２及び図３に示されるように、底板５の前縁に、照明装置１０が側方向に沿って固定に設けられ、下方のキッチンキャビネット２上面を照らすように構成されている。照明装置１０は、側方向に略同じ断面形状に形成されたフレーム１１と、フレーム１１内に嵌合したベース本体１２と、更にベース本体１２内に配設されたＬＥＤ光源デバイス１３と、等から主として構成されている。
【００１７】
また、照明装置１０と側方向に所定間隔離間した照明部３０が、底板５の前縁に並設されている。更に、吊戸棚１に隣接したレンジフード９の下面前側に、照明部４０が設けられている。すなわち照明部３０，４０は、照明装置１０の近傍箇所に設けられている。
【００１８】
図３に示されるように、照明装置１０は、底板５の厚さと略同じ厚さ寸法に形成されており、底板５の前面前方であって照明装置１０の前縁が天板３及び両側板４の前面位置に配置される箇所に、ビス等の着脱部材２２によりフレーム１１の後方張出部１２ｂが底板５の上面に着脱可能に取り付けられている。更に照明装置１０の前縁には、扉７の下部背面が対向しており、扉７、照明装置１０そして底板５の各下面が略面一に位置するよう配設されている。
【００１９】
照明装置１０の構造について詳細に説明すると、フレーム１１は、吊戸棚１の両側板４間寸法よりも短寸のアルミニウム押出成形品であって、フレーム１１の下部は開放された開放部１１ａであり、この開放部１１ａにベース本体１２が嵌合している。また開放部１１ａの前方に、扉７の背面と離間して凹部１１ｂが形成されている。
【００２０】
このような構成によれば、フレーム１１が押出成形品であるため、適宜長さに切断して所定の吊戸棚に適用することで生産効率を向上でき、且つ一定品質のフレーム１１を量産できる。また扉７の背面と離間した凹部１１ｂを、扉７を開閉する際の手掛け部として利用できる。
【００２１】
更にフレーム１１の前端に、前方に開口した中空部１１ｃが形成され、この中空部１１ｃにゴム等の弾性部材から成るパッキン２３が側方向に嵌入されている。すなわちパッキン２３は、扉７の背面とフレーム１１の前端との間に、側方向に沿って介設されている。
【００２２】
このような構成によれば、パッキン２３を扉７の背面とフレーム１１の前端とに当接させることで、煙、蒸気、虫などの進入を防ぎ吊戸棚１内を清潔に保つことができるばかりか、扉７の閉音を抑制できる。
【００２３】
尚、パッキンは、必ずしもフレーム１１に設けられているものに限られず、例えばフレームの前端に対向する扉の背面に、側方向に沿って設けられていてもよい。
【００２４】
ベース本体１２は、フレーム１１の側方向寸法よりも短寸のアルミニウム押出成形品であり、側方向に沿って、下方に開口した略コ字状の略同一断面形状に形成されている。図４に示されるように、ベース本体１２内部には、側方向に配設された下方を向く複数個のＬＥＤチップ１３ａを備えたＬＥＤ光源デバイス１３と、各ＬＥＤチップ１３ａに外部の交流電源を供給するための電源回路１７と、交流電源が供給される電源ケーブルを接続する端子台１５と、そして交流電源を断続操作可能な断続操作部としての操作スイッチ１６とが、側方向に直線状に並設して配置されている。尚、ベース本体は、必ずしも本実施例のようにアルミニウム押出成形品であるものに限られず、例えば樹脂から成るものでもよい。
【００２５】
このような構成によれば、電源回路１７を備えたＬＥＤ光源デバイス１３、端子台１５、そして操作スイッチ１６からなる照明装置１０の各構成要素を、ベース本体１２内に一つに纏めユニット化されているので、照明装置１０のメンテナンスが、ベース本体１２の交換のみで容易に行える。更にＬＥＤ光源デバイス１３が側方向に配置されていることで、側方向に均一に照らすことができる。
【００２６】
図３及び図４に示されるように、ベース本体１２の下方に開口した下端部には、互いに対向する凹溝１２ａが形成され、これ等凹溝１２ａに、透光性を有する透光カバー１４が架設されている。透光カバー１４は、ＬＥＤ光源デバイス１３の下方位置に配置されている。透光カバー１４の左右各側には、後述する無線発信部１９を備えた脱着カバー２１と、操作スイッチ１６を備えたスイッチカバー２０とが、それぞれ上下方向に脱着可能に取り付けられている。
【００２７】
次に、照明装置１０への電源供給ラインについて説明すると、外部の交流電源を供給する電源ケーブルが、図示しない外部電源側から底板５内部に延び、フレーム１１及びベース本体１２にそれぞれ穿設された挿通孔１１ｄ，１２ｄを挿通し、ベース本体１２に設けた端子台１５に電気的に接続されている。また端子台１５から延びた電源線が、ＬＥＤ光源デバイス１３内の各ＬＥＤチップ１３ａに配線された電源回路１７に電気的に接続されている。更に、各ＬＥＤチップ１３ａへの電源供給を断続操作可能な操作スイッチ１６が、脱着可能なコネクタ２４を介し電源回路１７と端子台１５との間に電気的に接続されており、すなわち使用者が任意に操作スイッチ１６を入／切操作することで、照明装置１０の点灯／消灯制御できるように成っている。尚、ＬＥＤ光源デバイス自体に点灯／消灯を制御する端子または電線が備えられたものを利用すれば、操作スイッチ１６を前記端子または電線に電気的に接続してもよい。
【００２８】
また、電源回路１７に接続された無線発信部１９が、照明装置１０の適所（本実施例では脱着カバー２１）に配設されている。無線発信部１９は、操作スイッチ１６の断続状態情報を、例えば赤外線等の無線信号とし、後述する照明部３０，４０にそれぞれ設けられた無線受信部３９，４９に向けて発信するように構成される。
【００２９】
次に、図２に示されるように、照明部３０，４０の構成について説明すると、照明部３０は、光源デバイス３３と、照明装置１０の無線発信部１９が発信した断続状態を受信する無線受信部３９と、無線受信部３９で受信した断続状態に応答し光源デバイス３３に交流電源を断続可能な断続部３６と、電源ケーブルを接続するための端子台と、から主として構成されている。
【００３０】
照明部３０は、上述した照明装置１０と同様のため特に図示しないが、外部の交流電源を供給する電源ケーブルが、光源デバイス３３内に配線された電源回路に電気的に接続されている。更に、光源デバイス３３内への電源供給を断続可能な断続部３６が、前記電源回路と端子台との間に電気的に接続されており、断続部３６の断続で照明部３０の点灯／消灯制御できるように成っている。
【００３１】
照明部４０は、照明部３０と同様に、光源デバイス４３と、照明装置１０の無線発信部１９が発信した断続状態を受信する無線受信部４９と、無線受信部４９で受信した断続状態に応答し光源デバイス４３に交流電源を断続可能な断続部４６と、電源ケーブルを接続するための端子台と、から主として構成されている。
【００３２】
照明部４０は、外部の交流電源を供給する電源ケーブルが、光源デバイス４３内に配線された電源回路に電気的に接続され、光源デバイス４３内への電源供給を断続可能な断続部４６が、前記電源回路と端子台との間に電気的に接続されており、断続部４６の断続で照明部４０の点灯／消灯制御できる。
【００３３】
尚、照明部３０，４０は、本実施例では光源として照明装置１０と同様にＬＥＤチップを採用しているが、例えば光源として周知の蛍光ランプ等を採用しても構わない。
【００３４】
次に、照明装置１０、照明部３０及び照明部４０の点灯／消灯操作について説明すると、先ず使用者が消灯状態である照明装置１０の操作スイッチ１６を点灯操作、すなわち電源接続状態にすることで、照明装置１０の電源回路１７に電源供給され、ＬＥＤ光源デバイス１３の内の各ＬＥＤチップ１３ａが点灯する。同時に、無線発信部１９は、操作スイッチ１６の接続状態情報を、各照明部３０，４０の無線受信部３９，４９に向けて発信する。無線受信部３９，４９が信号を受信することで、各照明部３０，４０の断続部３６，４６を電源接続状態とし、各光源デバイス３３，４３が点灯する。
【００３５】
反対に、使用者が点灯状態である照明装置１０の操作スイッチ１６を消灯操作、すなわち電源遮断状態にすることで、照明装置１０への電源供給が停止され、ＬＥＤ光源デバイス１３の内の各ＬＥＤチップ１３ａが消灯する。同時に、無線発信部１９は、操作スイッチ１６の遮断状態情報を信号とし、各照明部３０，４０の無線受信部３９，４９に向けて発信する。無線受信部３９，４９が信号を受信することで、各照明部３０，４０の断続部３６，４６を電源遮断状態とし、各光源デバイス３３，４３が消灯する。
【００３６】
すなわち、照明装置１０の操作スイッチ１６を点灯／消灯操作することで、照明装置１０が点灯／消灯するとともに、当該点灯／消灯に同期して照明装置１０から離間した照明部３０，４０が点灯／消灯することになる。
【００３７】
このような構成によれば、照明装置１０のＬＥＤ光源デバイス１３と、各照明部３０，４０の光源デバイス３３，４３とが、無線受発信を介し同期して断続できるばかりか、照明装置１０と照明部３０，４０とを互いに離間して配設できる。
【００３８】
尚、無線発信部１９と無線受信部３９，４９とによる信号通信は、例えば赤外線通信など周知の通信態様であって構わない。また通信信号は、無線発信部１９から無線受信部３９，４９に向けて略直線状に最短距離で発信されるものでもよいし、若しくはキッチンキャビネット２の上面を反射させて発信されるものでもよい。通信信号が、キッチンキャビネット２の上面を反射させて発信されることで、照明装置１０と照明部３０，４０との直線状の間に遮蔽物が存在した場合でも、照明装置１０の下方に対向するキッチンキャビネット２の上面を利用し信号を反射させ、確実に信号通信できる。
【００３９】
更に尚、照明部３０，４０が、無線受信部３９，４９に接続された断続部３６，４６に加え、使用者が点灯／消灯操作可能な断続操作部を別段に備えるとともに、断続部３６，４６と前記断続操作部とを切替える切替部を備えており、照明部３０，４０が、当該切替部により、断続部３６，４６で点灯／消灯するか若しくは前記断続操作部で点灯／消灯するかを、任意に切替えるように構成してもよい。また使用者が、照明部３０，４０を任意に点灯／消灯するべく、断続部３６，４６と前記断続操作部とを電気的に並列に接続してもよい。
【００４０】
以上説明したように、照明装置１０が、側方向に配設されたＬＥＤ光源デバイス１３と、ＬＥＤ光源デバイス１３に外部の交流電源を供給するための電源回路１７と、側方向に略同一断面形状であって、ＬＥＤ光源デバイス１３、電源線を接続する端子台１５、そして交流電源を断続操作可能な断続操作部としての操作スイッチ１６を内部に備えたフレーム１１と、から構成されており、フレーム１１の下部は開放された開放部１１ａであり、開放部１１ａに透光性を有する透光カバー１４が装着されており、更にフレーム１１は、底板５の厚さと略同じ厚さを有し、扉７の背面側に位置する底板５の前面に、着脱可能に取り付けられている。
【００４１】
このような構成によれば、ＬＥＤ光源デバイス１３とＬＥＤ駆動用の電源回路１７とを、共に小型化して底板５と略同じ厚さのフレーム１１内部に照明源として収納配置できるため、照明源が吊戸棚１の外方に張り出すことがなく、照明を有しない吊戸棚とほぼ同様の見栄えにできるばかりか、底板５の厚さを抑え、レイアウト設計の自由度を維持できる。更に光源にＬＥＤ光源デバイス１３を用いることで、光源の交換頻度を抑え、且つフレーム１１を着脱することで交換作業を容易化できる。
【００４２】
以上、本発明の実施例を図面により説明してきたが、具体的な構成はこれら実施例に限られるものではなく、本発明の要旨を逸脱しない範囲における変更や追加があっても本発明に含まれる。
【００４３】
例えば、前記実施例では、照明装置１０の断続操作部として、使用者が任意に操作可能な操作スイッチ１６が設けられているが、例えば断続操作部として、使用者の存在若しくは不在を感知して電源を断続する感知センサが設けられてもよい。更に、照明部は、前記感知センサによる照明装置の電源断続すなわち点灯／消灯に応答して、点灯／消灯するものであっても構わない。
【００４４】
例えば、前記実施例では、照明装置１０の光源である各ＬＥＤチップ１３ａが下方を向いており、吊戸棚下方のキッチンキャビネット２上面を照らすように構成されているが、例えば照明装置の光源の上方部が、透光性を有する透光部材で構成されているとともに、前記光源の下方部に、光を一部反射する反射部材が設けられていてもよい。このような構成によれば、前記光源からの光を一部反射させ、この反射光が前記透光部材を透光することで、照明装置が下方を照らすとともに、照明装置の上方に位置する吊戸棚の内部を採光することができる。
【符号の説明】
【００４５】
１                吊戸棚
２                キッチンキャビネット
３                天板
４                側板
５                底板
６                扉
１０              照明装置
１１              フレーム
１１ａ            開放部
１２              ベース本体
１３              ＬＥＤ光源デバイス
１３ａ            ＬＥＤチップ
１４              透光カバー
１５              端子台
１６              操作スイッチ（断続操作部）
１７              電源回路
１９              無線発信部
２３              パッキン
３０，４０        照明部
３３，４３        光源デバイス
３６，４６        断続部
３９，４９        無線受信部
【図１】
0005400647.tif 000002
【図２】
0005400647.tif 000003
【図３】
0005400647.tif 000004
【図４】
0005400647.tif 000005